(57)【要約】  ネットワークエンティティが、ネットワークサービスの識別子割り当ておよび／または識別子マッピングのために提案されている。ネットワークエンティティ（100）は、ネットワークサービスの識別子割り当ておよび／または識別子マッピングのためのサービス層上にあり、ネットワークエンティティ（100）は、ネットワークサービスの少なくとも1つの識別子を受信し、さらなるネットワークサービスの少なくとも1つのさらなる識別子を生成し、さらなる識別子を少なくとも1つの受信した識別子にマッピングするように構成される。
2020521404.tif 000002
【特許請求の範囲】
【請求項１】
ネットワークサービスの識別子割り当ておよび／または識別子マッピングのためのサービス層上のネットワークエンティティ（100）であって、
前記ネットワークエンティティ（100）は、
ネットワークサービスの少なくとも1つの識別子を受信し、
さらなるネットワークサービスの少なくとも1つのさらなる識別子を生成し、
前記さらなる識別子を少なくとも1つの受信した識別子にマッピングする
ように構成される、
ネットワークエンティティ（100）。
【請求項２】
前記ネットワークエンティティ（100）が、
識別子割り当ておよび／または識別子マッピングのために前記少なくとも1つのさらなる識別子を少なくとも1つの第2のネットワークエンティティに送信する
ようにさらに構成される、
請求項1に記載のネットワークエンティティ（100）。
【請求項３】
前記ネットワークエンティティ（100）が第1のサービス層に位置し、前記第2のネットワークエンティティが第2のサービス層に位置する、
請求項2に記載のネットワークエンティティ（100）。
【請求項４】
前記第1のサービス層が、前記第2のサービス層と比較して上位のサービス層である、
請求項3に記載のネットワークエンティティ（100）。
【請求項５】
前記第1のサービス層が、前記第2のサービス層と比較して下位のサービス層である、
請求項3に記載のネットワークエンティティ（100）。
【請求項６】
前記ネットワークエンティティ（100）が第1のサービス層に位置し、前記第2のネットワークエンティティが第2のサービス層に位置し、
前記第1のサービス層は前記第2のサービス層と同じサービス層である、
請求項2に記載のネットワークエンティティ（100）。
【請求項７】
前記受信した識別子がサービスインスタンスID（S−ID）であり、前記少なくとも1つのさらなる識別子がネットワークサービスインスタンスID（NS−ID）であるか、または
前記受信した識別子がネットワークサービスインスタンスID（NS−ID）であり、前記少なくとも1つのさらなる識別子がネットワークスライスインスタンスID（NSI−ID）であるか、または
前記受信した識別子がネットワークスライスインスタンスID（NSI−ID）であり、前記少なくとも1つのさらなる識別子がネットワークサブネットスライスインスタンスID（NSSI−ID）であるか、または
前記受信した識別子がネットワークサブネットスライスインスタンスID（NSSI−ID）であり、前記少なくとも1つのさらなる識別子が少なくとも1つのインフラストラクチャリソースインスタンスIDである、
請求項1から6のいずれか一項に記載のネットワークエンティティ（100）。
【請求項８】
前記受信した識別子が前記少なくとも1つのインフラストラクチャリソースインスタンスIDであり、前記少なくとも1つのさらなる識別子が前記ネットワークサブネットスライスインスタンスID（NSSI−ID）であるか、または
前記受信した識別子が前記少なくとも1つのネットワークサブネットスライスインスタンスID（NSSI−ID）であり、前記少なくとも1つのさらなる識別子が前記ネットワークスライスインスタンスID（NSI−ID）であるか、または
前記受信した識別子が前記少なくとも1つのネットワークスライスインスタンスID（NSI−ID）であり、前記少なくとも1つのさらなる識別子が前記ネットワークサービスインスタンスID（NS−ID）であるか、または
前記受信した識別子が前記少なくとも1つのネットワークサービスインスタンスID（NS−ID）であり、前記少なくとも1つのさらなる識別子が前記サービスインスタンスID（S−ID）である、
請求項1から7のいずれか一項に記載のネットワークエンティティ（100）。
【請求項９】
前記少なくとも1つの受信した識別子への前記少なくとも1つのさらなる識別子の前記マッピングが、ハッシュ機構に基づいている、
請求項1から8のいずれか一項に記載のネットワークエンティティ（100）。
【請求項１０】
前記ネットワークエンティティ（100）が、
前記受信した識別子への前記少なくとも1つのさらなる識別子の前記マッピングを格納する
ようにさらに構成される、
請求項1から9のいずれか一項に記載のネットワークエンティティ（100）。
【請求項１１】
前記ネットワークエンティティ（100）が、
マッピングされた識別子を格納するための少なくとも1つのデータベース（107a、107b）
を備え、
前記少なくとも1つのデータベース（107a、107b）は、識別子を制御するためのインタフェース（115）を備える、
請求項8に記載のネットワークエンティティ（100）。
【請求項１２】
前記ネットワークエンティティ（100）が、
請求項2に記載の前記さらなるネットワークサービスの前記少なくとも1つのさらなる識別子を送信するため、または請求項1に記載の前記ネットワークサービスの前記少なくとも1つの識別子を受信するためのインタフェース（120、ID管理インタフェース）
を備える、
請求項1から11のいずれか一項に記載のネットワークエンティティ（100）。
【請求項１３】
前記ネットワークエンティティ（100）がネットワーク管理機能に接続され、
前記ネットワーク管理機能は、前記ネットワークエンティティと同じサービス層を管理する役割を果たす、
請求項1から12のいずれか一項に記載のネットワークエンティティ（100）。
【請求項１４】
前記ネットワークエンティティ（100）が、
生成されたさらなる識別子を新たなさらなるネットワークサービスに割り当てるか、さらなるネットワークサービスの少なくとも1つの既存のさらなる識別子を使用し、
前記少なくとも1つのさらなる識別子を使用する場合、識別子割り当ておよび／または識別子マッピングのために、前記割り当てられたさらなる識別子を前記少なくとも1つの第2のネットワークエンティティに送信する
ようにさらに構成される、
請求項1から13のいずれか一項に記載のネットワークエンティティ（100）。
【請求項１５】
前記ネットワークエンティティ（100）が、
前記第1の受信した識別子を前記新しい受信した識別子で置き換える
ようにさらに構成される、
請求項13に記載のネットワークエンティティ（100）。
【請求項１６】
マッピングがユーザ機器の単一のネットワークスライス選択支援情報（NSSAI）に必要とされる場合、
前記エンティティ（300）が、
前記さらなるネットワークサービスの前記さらなる識別子を生成する
ようにさらに構成され、
前記さらなるネットワークサービスは、サービスインスタンス（NS）またはネットワークスライスインスタンス（NSI）またはネットワークスライスサブネットインスタンス（NSSI）である、
請求項1から15のいずれか一項に記載のエンティティ（300）。
【請求項１７】
ネットワークサービスの識別子割り当ておよび／または識別子マッピングのためのサービス層上のネットワークエンティティ（100）で、
ネットワークサービスの少なくとも1つの識別子を受信するステップと、
さらなるネットワークサービスの少なくとも1つのさらなる識別子を生成するステップと、
前記さらなる識別子を少なくとも1つの受信した識別子にマッピングするステップと
を含む、方法。
【請求項１８】
前記方法が、
識別子割り当ておよび／または識別子マッピングのために前記少なくとも1つのさらなる識別子を少なくとも1つの第2のネットワークエンティティに送信するステップ
をさらに含む、請求項17に記載の方法。
【請求項１９】
前記ネットワークエンティティ（100）が第1のサービス層に位置し、前記第2のネットワークエンティティが第2のサービス層に位置する、
請求項17または18に記載の方法。
【請求項２０】
前記第1のネットワークサービス層が、前記第2のサービス層と比較して上位のサービス層である、
請求項19に記載の方法。
【請求項２１】
前記第1のサービス層が、前記第2のサービス層と比較して下位のサービス層である、
請求項19に記載の方法。
【請求項２２】
前記受信した識別子がサービスインスタンスID（S−ID）であり、前記少なくとも1つのさらなる識別子がネットワークサービスインスタンスID（NS−ID）であるか、または
前記受信した識別子がネットワークサービスID（NS−ID）であり、前記少なくとも1つのさらなる識別子がネットワークスライスインスタンスID（NSI−ID）であるか、または
前記受信した識別子がネットワークスライスインスタンスID（NSI−ID）であり、前記少なくとも1つのさらなる識別子がネットワークサブネットスライスインスタンスID（NSSI−ID）であるか、または
前記受信した識別子がネットワークサブネットスライスインスタンスID（NSSI−ID）であり、前記少なくとも1つのさらなる識別子が少なくとも1つのインフラストラクチャリソースインスタンスIDである、
請求項17から21のいずれか一項に記載の方法。
【請求項２３】
前記受信した識別子が前記少なくとも1つのインフラストラクチャリソースインスタンスIDであり、前記少なくとも1つのさらなる識別子が前記ネットワークサブネットスライスインスタンスID（NSSI−ID）であるか、または
前記受信した識別子が前記ネットワークサブネットスライスインスタンスID（NSSI−ID）であり、前記少なくとも1つのさらなる識別子が前記ネットワークスライスインスタンスID（NSI−ID）であるか、または
前記受信した識別子が前記ネットワークスライスインスタンスID（NSI−ID）であり、前記少なくとも1つのさらなる識別子が前記ネットワークサービスインスタンスID（NS−ID）であるか、または
前記受信した識別子が前記ネットワークサービスインスタンスID（NS−ID）であり、前記少なくとも1つのさらなる識別子が前記サービスインスタンスID（S−ID）である、
請求項17から22のいずれか一項に記載の方法。
【請求項２４】
前記少なくとも1つの受信した識別子への前記少なくとも1つのさらなる識別子の前記マッピングが、ハッシュ機構に基づいている、
請求項17から23のいずれか一項に記載の方法。
【請求項２５】
前記方法が、
前記受信した識別子への前記少なくとも1つのさらなる識別子の前記マッピングを格納するステップ
を含む、
請求項17から24のいずれか一項に記載の方法。
【請求項２６】
前記ネットワークエンティティ（100）が、
マッピングされた識別子を格納するための少なくとも1つのデータベース（107a、107b）
を備え、
前記少なくとも1つのデータベース（107a、107b）は、識別子を制御するためのインタフェース（115）を備える、
請求項25に記載の方法。
【請求項２７】
前記ネットワークエンティティ（100）が、
請求項2に記載の前記さらなるネットワークサービスの前記少なくとも1つのさらなる識別子を送信するため、または請求項1に記載の前記ネットワークサービスの前記少なくとも1つの識別子を受信するためのインタフェース（120、ID管理インタフェース）
を備える、
請求項17から26のいずれか一項に記載の方法。
【請求項２８】
前記ネットワークエンティティ（100）がネットワーク管理機能に接続され、
前記ネットワーク管理機能は、前記ネットワークエンティティと同じサービス層に割り当てられる、
請求項17から27のいずれか一項に記載の方法。
【請求項２９】
前記方法が、
生成されたさらなる識別子を新たなさらなるネットワークサービスに割り当てるステップ、またはさらなるネットワークサービスの少なくとも1つのさらなる識別子を使用するステップと、
前記少なくとも1つのさらなる識別子を使用する場合、識別子割り当ておよび／または識別子マッピングのために、前記割り当てられたさらなる識別子を前記少なくとも1つの第2のネットワークエンティティに送信するステップと
をさらに含む、
請求項17から28のいずれか一項に記載の方法。
【請求項３０】
前記方法が、
前記第1の受信した識別子を前記新しい受信した識別子で置き換えるステップ
をさらに含む、
請求項17から29のいずれか一項に記載の方法。
【請求項３１】
スライスが複数の技術ドメインにわたって構成される、
前記スライスのエンドツーエンド識別管理のための請求項17から30のいずれか一項に記載の方法。
【請求項３２】
前記複数の技術ドメインが単一のオペレータ内または複数のオペレータにわたって配置されている、
請求項31に記載の方法。
【発明の詳細な説明】
【技術分野】
【０００１】
本発明は、一般に、電気通信ネットワーク技術の分野に関する。特に、本発明は、ネットワークサービスの識別子割り当ておよび／または識別子マッピングのためのサービス層上のネットワークエンティティ、ならびにネットワークサービスの識別子割り当ておよび／または識別子マッピングのためのサービス層上のネットワークエンティティにおける方法に関する。
【背景技術】
【０００２】
ネットワークスライスまたはネットワークスライシングの概念は、共有ネットワークインフラストラクチャを前提とする複数の垂直産業のさまざまな要件に対処するために、第5世代の5G通信システムに導入されている。それに応じて、ネットワークサービスはさまざまなユースケースの要件に基づいてカスタマイズできるため、ネットワーク運用効率が向上する。
【０００３】
ネットワークスライシングの概念は、2020年までに展開される第5世代モバイルテクノロジー（5G）の重要な特徴の1つになると予想される。ネットワークスライシングにより、5Gモバイル電気通信システムは、サービスに合わせたネットワーク機能プロビジョニングスキームを提供することにより、垂直産業を統合できる。
【０００４】
ネットワークスライシングの概念は、単一のオペレータネットワークに限定されない。サービスプロバイダが提供するネットワークサービスは、複数のネットワークスライスで構成することができ、複数のネットワークスライスを、複数のまたは異なるオペレータネットワークにわたって割り当てることができる。各オペレータネットワークは、独自の識別管理に基づいている。したがって、サービスプロバイダは、複数のオペレータネットワークのいずれかでネットワークリソースの障害または変更が発生した場合に、単純なエンドツーエンドの管理プロセスを持っていない。複数のオペレータにわたる複雑なスライスアーキテクチャに基づいて、サービスプロバイダがネットワークリソースの障害またはネットワークリソースの変更を簡単に検出することは困難である。
【発明の概要】
【０００５】
上記の欠点および問題を認識して、本発明は、最新技術を改善することを目的とする。特に、本発明の目的は、ネットワークサービスの識別子割り当ておよび／または識別子マッピングを改善するためのネットワークエンティティおよび方法を提供することである。
【課題を解決するための手段】
【０００６】
上記の目的は、独立請求項の特徴によって実現される。本発明のさらなる実施形態は、従属請求項、説明および図面から明らかである。
【０００７】
第1の態様によれば、本発明は、ネットワークサービスの識別子割り当ておよび／または識別子マッピングのためのサービス層上のネットワークエンティティに関し、ネットワークエンティティは、ネットワークサービスの少なくとも1つの識別子を受信し、さらなるネットワークサービスの少なくとも1つのさらなる識別子を生成し、さらなる識別子を少なくとも1つの受信した識別子にマッピングするように構成される。
【０００８】
それにより、ネットワークエンティティは、スライスの動的識別スキームを有利に可能にする。さらなる識別子、特にローカル識別子を生成する利点は、スライシングの概念の効率的な拡張性をサポートすることである。また、特にネットワークサービスのローカル障害またはローカル変更の場合の耐障害性を強化する復元機能を有利にサポートする。さらに、このネットワークエンティティは、特にそのライフサイクル中のスライスまたはネットワークスライスの抽象化機能を有利に改善する。さらに、このネットワークエンティティには、他のネットワークサービスからの識別子から、さらなる、特にローカルな識別子を隠すという利点がある。
【０００９】
ネットワークサービスは、サービスレベル契約を含む、オペレータまたはサービスプロバイダによって提供される管理対象エンティティとして定義される。ネットワークサービスには、5G通信サービス、スライス、スライスの一部、ネットワーク機能、またはインフラストラクチャが含まれる。
【００１０】
特に、さらなるネットワークサービスは、さらなる管理されたネットワークサービスを含む。
【００１１】
サービス層は、管理機能アーキテクチャにおけるサービス層、ネットワークスライスインスタンス層、ネットワークサブネットスライスインスタンス層、またはインフラストラクチャ層であってもよい。
【００１２】
第1の態様によるネットワークエンティティの第1の実装形態によれば、ネットワークエンティティは、識別子割り当ておよび／または識別子マッピングのために少なくとも1つのさらなる識別子を少なくとも1つの第2のネットワークエンティティに送信するようにさらに構成される。
【００１３】
それにより、エンドツーエンド識別管理の復元および抽象化の機能が有利に改善および簡素化される。
【００１４】
第1の態様によるネットワークエンティティの第2の実装形態によれば、ネットワークエンティティは第1のサービス層に位置し、第2のネットワークエンティティは第2のサービス層に位置する。
【００１５】
第1の態様によるネットワークエンティティの第3の実装形態によれば、第1のサービス層は、第2のサービス層と比較して上位のサービス層である。
【００１６】
それにより、割り当ておよび／または識別子マッピング手順は、トップダウンマッピングプロセスにおいて上位層から下位層へ有利に可能にされる。さらに、異なる層にわたるスライシング管理は、中央のスライス管理よりも動的である。トップダウンマッピングは、上位サービス層から下位サービス層へのマッピング識別子として定義される。
【００１７】
第1の態様によるネットワークエンティティの第4の実装形態によれば、第1のサービス層は、第2のサービス層と比較して下位のサービス層である。
【００１８】
これにより、異なる層にわたるスライシング管理は、中央のスライス管理よりも動的になる。さらに、割り当ておよび／または識別子マッピング手順は、ボトムアップマッピングプロセスにおいて下位層から上位層へ有利に可能にされる。ボトムアップマッピングは、下位のサービス層から上位のサービス層へのマッピング識別子として定義される。
【００１９】
第1の態様によるネットワークエンティティの第5の実装形態によれば、ネットワークエンティティは第1のサービス層に位置し、第2のネットワークエンティティは第2のサービス層に位置し、第1のサービス層は第2のサービス層と同じサービス層である。
【００２０】
それにより、同じサービス層での識別子割り当ておよび／もしくはマッピング、または識別子の水平マッピングが有利に可能にされる。さらに、各サービス層が異なるネットワーク管理機能によって管理または制御されることも可能である。さらに、第1のネットワークエンティティは、第2のネットワークエンティティとは異なるオペレータネットワークに配置され得る。
【００２１】
第1の態様によるネットワークエンティティの第6の実装形態によれば、受信した識別子はサービスインスタンスID（S−ID）であり、少なくとも1つのさらなる識別子はネットワークサービスインスタンスID（NS−ID）であるか、または受信した識別子はネットワークサービスインスタンスID（NS−ID）であり、少なくとも1つのさらなる識別子はネットワークスライスインスタンスID（NSI−ID）であるか、または受信した識別子はネットワークスライスインスタンスID（NSI−ID）であり、少なくとも1つのさらなる識別子はネットワークサブネットスライスインスタンスID（NSSI−ID）であるか、または受信した識別子はネットワークサブネットスライスインスタンスID（NSSI−ID）であり、少なくとも1つのさらなる識別子は少なくとも1つのインフラストラクチャリソースインスタンスIDである。
【００２２】
それにより、割り当ておよび／または識別子マッピング手順は、トップダウンマッピングプロセスにおいて層全体にエンドツーエンドで有利に可能にされる。
【００２３】
第1の態様によるネットワークエンティティの第7の実装形態によれば、受信した識別子は少なくとも1つのインフラストラクチャリソースインスタンスIDであり、少なくとも1つのさらなる識別子はネットワークサブネットスライスインスタンスID（NSSI−ID）であるか、または受信した識別子は少なくとも1つのネットワークサブネットスライスインスタンスID（NSSI−ID）であり、少なくとも1つのさらなる識別子はネットワークスライスインスタンスID（NSI−ID）であるか、または受信した識別子は少なくとも1つのネットワークスライスインスタンスID（NSI−ID）であり、少なくとも1つのさらなる識別子はネットワークサービスインスタンスID（NS−ID）であるか、または受信した識別子は少なくとも1つのネットワークサービスインスタンスID（NS−ID）であり、少なくとも1つのさらなる識別子はサービスインスタンスID（S−ID）である。
【００２４】
それにより、割り当ておよび／または識別子マッピング手順は、ボトムアップマッピングプロセスにおいて層全体にエンドツーエンドで有利に可能にされる。
【００２５】
第1の態様によるネットワークエンティティの第8の実装形態によれば、少なくとも1つの受信した識別子への少なくとも1つのさらなる識別子のマッピングは、ハッシュ機構に基づいている。
【００２６】
それにより、ネットワークエンティティ、特にローカルマッピングコンポーネントで識別子マッピングを有利に使用する。ハッシュには、マッピングされた識別子を効率的かつ高速に取得できるという利点がある。
【００２７】
第1の態様によるネットワークエンティティの第9の実装形態によれば、ネットワークエンティティは、受信した識別子への少なくとも1つのさらなる識別子のマッピングを格納するようにさらに構成される。
【００２８】
それにより、生成されたさらなる識別子の分散ストレージは、エンドツーエンド識別子割り当ておよび／または識別子マッピングプロセスの拡張性および速度を有利に改善している。
【００２９】
第1の態様によるネットワークエンティティの第10の実装形態によれば、ネットワークエンティティは、マッピングされた識別子を格納するための少なくとも1つのデータベースを備え、少なくとも1つのデータベースは識別子を制御するためのインタフェースを備える。
【００３０】
それにより、割り当てられたおよび／またはマッピングされた識別子、特に受信した識別子のようなキーと、さらなるまたはローカル識別子のような関連値のローカルストレージは、高速で直接的なアクセスを有利に可能にする。
【００３１】
第1の態様によるネットワークエンティティの第11の実装形態によれば、ネットワークエンティティは、第1の態様によるネットワークエンティティの第1の実装形態に従ってさらなるネットワークサービスの少なくとも1つのさらなる識別子を送信するか、または第1の態様によるネットワークエンティティに従ってネットワークサービスの少なくとも1つの識別子を受信するためのインタフェースを備える。
【００３２】
それにより、このインタフェースは、識別子マッピングのためのネットワークエンティティ、特にローカルマッピングコンポーネント間の双方向通信を有利に可能にする。インタフェースは、単一の管理ドメインが所有する技術ドメイン内、または複数の管理ドメインが所有する技術ドメイン間で、ローカルマッピングコンポーネント間の標準化された通信をサポートする。
【００３３】
管理ドメインとは、ETSI GS NFV−MAN 001 V1．1．1に準拠したオペレータなど、単一の組織または管理機関によってそれぞれ運用されるシステムとネットワークの集合を指す。
【００３４】
オペレータネットワークを考慮すると、技術ドメインは、コアネットワーク、アクセスネットワーク、トランスポートネットワーク、またはデータセンターネットワークなど、同じベンダや同じ技術である技術的に類似した管理属性を有するシステムまたはネットワークとして定義され得る。
【００３５】
第1の態様によるネットワークエンティティの第12の実装形態によれば、ネットワークエンティティはネットワーク管理機能に接続され、ネットワーク管理機能はネットワークエンティティと同じサービス層を管理する役割を果たす。
【００３６】
それにより、異なるネットワークサービスのローカルマッピングの制御は、管理されたスライスまたは管理対象エンティティの拡張性および復元を改善するそれぞれのレベルで有利に管理される。
【００３７】
第1の態様によるネットワークエンティティの第13の実装形態によれば、ネットワークエンティティは、生成されたさらなる識別子を新たなさらなるネットワークサービスに割り当てるか、さらなるネットワークサービスの少なくとも1つのさらなる識別子を使用し、少なくとも1つのさらなる識別子を使用する場合、識別子割り当ておよび／または識別子マッピングのために、割り当てられたさらなる識別子を少なくとも1つの第2のネットワークエンティティに送信するようにさらに構成される。
【００３８】
エンドツーエンド識別管理の復元が有利に強化される。
【００３９】
第1の態様によるネットワークエンティティの第14の実装形態によれば、ネットワークエンティティは、第1の受信した識別子を新しい受信した識別子で置き換えるようにさらに構成される。
【００４０】
それにより、耐障害性が有利に低減される。
【００４１】
第1の態様によるネットワークエンティティの第15の実装形態によれば、マッピングがユーザ機器の単一のネットワークスライス選択支援情報（NSSAI）に必要とされる場合、エンティティは、さらなるネットワークサービスのさらなる識別子を生成するようにさらに構成され、さらなるネットワークサービスは、サービスインスタンス（NS）またはネットワークスライスインスタンス（NSI）またはネットワークスライスサブネットインスタンス（NSSI）である。
【００４２】
それにより、サービスを要求するユーザ機器（UE）の識別管理が有利に可能にされる。特に、ユーザ機器要求（すなわち、S−NSSAI）と公開サービスとの間のマッピングは、有利に可能にされ、またスライス管理機能の異なる層の識別管理および識別子マッピングのための割り当てられたネットワークエンティティ、特にローカルマッピングコンポーネントも改善する。
【００４３】
第2の態様によれば、本発明は、ネットワークサービスの識別子割り当ておよび／または識別子マッピングのためのサービス層上のネットワークエンティティにおいて、ネットワークサービスの少なくとも1つの識別子を受信するステップと、さらなるネットワークサービスの少なくとも1つのさらなる識別子を生成するステップと、さらなる識別子を少なくとも1つの受信した識別子にマッピングするステップと、を含む方法に関する。
【００４４】
それにより、方法は、スライスの動的識別スキームを有利に可能にする。さらなる識別子、特にローカル識別子を生成する利点は、スライシングの概念の効率的な拡張性をサポートすることである。また、特にネットワークサービスのローカル障害またはローカル変更の場合の耐障害性を強化する復元機能を有利にサポートする。さらに、この方法は、特にそのライフサイクル中のスライスまたはネットワークスライスの抽象化機能を有利に改善する。さらに、この方法には、他のネットワークサービスからの識別子から、さらなる、特にローカルな識別子を隠すという利点がある。
【００４５】
第2の態様による方法の第1の実装形態によれば、方法は、識別子割り当ておよび／または識別子マッピングのために少なくとも1つのさらなる識別子を少なくとも1つの第2のネットワークエンティティに送信するステップをさらに含む。
【００４６】
それにより、方法の復元が有利に改善される。さらに、識別子の欠落または誤った障害リスクが有利に低減される。
【００４７】
第2の態様による方法の第2の実装形態によれば、ネットワークエンティティは第1のサービス層に位置し、第2のネットワークエンティティは第2のサービス層に位置する。
【００４８】
第2の態様による方法の第3の実装形態によれば、第1のサービス層は、第2のサービス層と比較して上位のサービス層である。
【００４９】
それにより、割り当ておよび／または識別子マッピング手順は、トップダウンマッピングプロセスにおいて上位層から下位層へ有利に可能にされる。さらに、異なる層にわたるスライシング管理は、中央のスライス管理よりも動的である。トップダウンマッピングは、上位サービス層から下位サービス層へのマッピング識別子として定義される。
【００５０】
第2の態様による方法の第4の実装形態によれば、第1のサービス層は、第2のサービス層と比較して下位のサービス層である。
【００５１】
これにより、異なる層にわたるスライシング管理は、中央のスライス管理よりも動的になる。さらに、割り当ておよび／または識別子マッピング手順は、ボトムアップマッピングプロセスにおいて下位層から上位層へ有利に可能にされる。ボトムアップマッピングは、下位のサービス層から上位のサービス層へのマッピング識別子として定義される。
【００５２】
第1の態様によるネットワークエンティティのさらなる実装形態によれば、ネットワークエンティティは第1のサービス層に位置し、第2のネットワークエンティティは第2のサービス層に位置し、第1のサービス層は第2のサービス層と同じサービス層である。
【００５３】
それにより、同じサービス層での識別子割り当ておよび／もしくはマッピング、または識別子の水平マッピングが有利に可能にされる。さらに、各サービス層が異なるネットワーク管理機能によって管理または制御されることも可能である。さらに、第1のネットワークエンティティは、第2のネットワークエンティティとは異なるオペレータネットワークに配置され得る。
【００５４】
第2の態様による方法の第5の実装形態によれば、受信した識別子はサービスインスタンスID（S−ID）であり、少なくとも1つのさらなる識別子はネットワークサービスインスタンスID（NS−ID）であるか、または受信した識別子はネットワークサービスID（NS−ID）であり、少なくとも1つのさらなる識別子はネットワークスライスインスタンスID（NSI−ID）であるか、または受信した識別子はネットワークスライスインスタンスID（NSI−ID）であり、少なくとも1つのさらなる識別子はネットワークサブネットスライスインスタンスID（NSSI−ID）であるか、または受信した識別子はネットワークサブネットスライスインスタンスID（NSSI−ID）であり、少なくとも1つのさらなる識別子は少なくとも1つのインフラストラクチャリソースインスタンスIDである。
【００５５】
それにより、割り当ておよび／または識別子マッピング手順は、トップダウンマッピングプロセスにおいて層全体にエンドツーエンドで有利に可能にされる。
【００５６】
第2の態様による方法の第6の実装形態によれば、受信した識別子は少なくとも1つのインフラストラクチャリソースインスタンスIDであり、少なくとも1つのさらなる識別子はネットワークサブネットスライスインスタンスID（NSSI−ID）であるか、または受信した識別子はネットワークサブネットスライスインスタンスID（NSSI−ID）であり、少なくとも1つのさらなる識別子はネットワークスライスインスタンスID（NSI−ID）であるか、または受信した識別子はネットワークスライスインスタンスID（NSI−ID）であり、少なくとも1つのさらなる識別子はネットワークサービスインスタンスID（NS−ID）であるか、または受信した識別子はネットワークサービスインスタンスID（NS−ID）であり、少なくとも1つのさらなる識別子はサービスインスタンスID（S−ID）である。
【００５７】
それにより、割り当ておよび／または識別子マッピング手順は、ボトムアップマッピングプロセスにおいて層全体にエンドツーエンドで有利に可能にされる。
【００５８】
第2の態様による方法の第7の実装形態によれば、少なくとも1つの受信した識別子への少なくとも1つのさらなる識別子のマッピングは、ハッシュ機構に基づいている。
【００５９】
それにより、ネットワークエンティティ、特にローカルマッピングコンポーネントで識別子マッピングを有利に使用する。ハッシュには、マッピングされた識別子を効率的かつ高速に取得できるという利点がある。
【００６０】
第2の態様による方法の第8の実装形態によれば、方法は、受信した識別子への少なくとも1つのさらなる識別子のマッピングを格納するステップを含む。
【００６１】
それにより、生成されたさらなる識別子の分散ストレージは、エンドツーエンド識別子割り当ておよび／または識別子マッピングプロセスの拡張性および速度を有利に改善している。
【００６２】
第2の態様による方法の第9の実装形態によれば、ネットワークエンティティは、マッピングされた識別子を格納するための少なくとも1つのデータベースを備え、少なくとも1つのデータベースは識別子を制御するためのインタフェースを備える。
【００６３】
それにより、割り当てられたおよび／またはマッピングされた識別子、特に受信した識別子のようなキーと、さらなるまたはローカル識別子のような関連値のローカルストレージは、高速で直接的なアクセスを有利に可能にする。
【００６４】
第2の態様による方法の第10の実装形態によれば、ネットワークエンティティは、第1の態様によるネットワークエンティティの第1の実装形態に従ってさらなるネットワークサービスの少なくとも1つのさらなる識別子を送信するか、または第1の態様によるネットワークエンティティに従ってネットワークサービスの少なくとも1つの識別子を受信するためのインタフェースを備える。
【００６５】
それにより、このインタフェースは、識別子マッピングのためのネットワークエンティティ、特にローカルマッピングコンポーネント間の双方向通信を有利に可能にする。インタフェースは、技術ドメイン内または技術ドメインもしくは管理ドメイン全体のローカルマッピングコンポーネント間の標準化された通信をサポートする。
【００６６】
管理ドメインとは、ETSI GS NFV−MAN 001 V1．1．1に準拠したオペレータなど、単一の組織または管理機関によってそれぞれ運用されるシステムとネットワークの集合を指す。
【００６７】
オペレータネットワークを考慮すると、技術ドメインは、コアネットワーク、アクセスネットワーク、トランスポートネットワーク、またはデータセンターネットワークなど、同じベンダや同じ技術である技術的に類似した管理属性を有するシステムまたはネットワークとして定義され得る。
【００６８】
第2の態様による方法の第11の実装形態によれば、ネットワークエンティティはネットワーク管理機能に接続され、ネットワーク管理機能はネットワークエンティティと同じサービス層に割り当てられる。
【００６９】
それにより、異なるネットワークサービスのローカルマッピングの制御は、管理されたスライスまたは管理対象エンティティの拡張性および復元を改善するそれぞれのレベルで有利に管理される。
【００７０】
第2の態様による方法の第12の実装形態によれば、方法は、生成されたさらなる識別子を新たなさらなるネットワークサービスに割り当てるステップ、またはさらなるネットワークサービスの少なくとも1つのさらなる識別子を使用するステップと、少なくとも1つのさらなる識別子を使用する場合、識別子割り当ておよび／または識別子マッピングのために、割り当てられた識別子を少なくとも1つの第2のネットワークエンティティに送信するステップとを含む。
【００７１】
エンドツーエンド識別管理の復元が有利に強化される。
【００７２】
第2の態様による方法の第13の実装形態によれば、ネットワークエンティティは、第1の受信した識別子を新しい受信した識別子で置き換えるようにさらに構成される。
【００７３】
それにより、耐障害性が有利に低減される。
【００７４】
スライスのエンドツーエンド識別管理のための第2の態様による方法の第14の実装形態によれば、スライスは複数の技術ドメインにわたって構成される。
【００７５】
第2の態様による方法の第15の実装形態によれば、複数の技術ドメインは単一のオペレータ内または複数のオペレータにわたって配置されている。
【００７６】
より具体的には、上記の装置は、個別のハードウェアコンポーネント、統合チップもしくはチップモジュールの配列を備えた個別のハードウェア回路に基づいて、またはコンピュータ可読媒体に書き込まれたもしくはインターネットなどのネットワークからダウンロードされた、メモリに保存されたソフトウェアルーチンもしくはプログラムによって制御される信号処理デバイスまたはチップに基づいて実装され得ることに留意されたい。
【００７７】
さらに、本発明の好ましい実施形態は、従属請求項または上記の実施形態とそれぞれの独立請求項との任意の組み合わせでもあり得ることを理解されたい。
【００７８】
本発明のこれらの態様および他の態様は、以下に記載される実施形態を参照して明らかになり、解明されよう。
本発明の上記の態様および実装形態は、添付の図面に関連する特定の実施形態の以下の説明において説明される。
【図面の簡単な説明】
【００７９】
【図１】本発明の一実施形態によるネットワークエンティティを示す図である。
【図２】本発明の一実施形態によるマッピングの概略図である。
【図３】本発明の一実施形態によるユーザ機器要求に関する概略図である。
【図４】本発明の一実施形態によるエンドツーエンドネットワークサービス識別管理に関する概略図である。
【図５】本発明の一実施形態によるビジネスロールに関する概略図である。
【図６】本発明の一実施形態による方法の概略フロー図である。
【発明を実施するための形態】
【００８０】
図1は、ネットワークサービスの識別子割り当ておよび／または識別子マッピングのための2つのネットワークエンティティ100、110を示している。各ネットワークエンティティ100、110は、通信システムのサービス層に配置されている。
【００８１】
ネットワークエンティティ100、特にローカルマッピングコンポーネント100は、マッピング機能101、特にローカルマッパ101、識別子を格納するための2つのデータベース107a、107b、およびデータベース107a、107bにアクセスするための少なくとも1つのインタフェース105を備える。任意選択で、ネットワークエンティティ100は、複数のデータベース107a、107bにアクセスするための1つのインタフェース105のみを備える。さらに、ネットワークエンティティ100は、ネットワークサービスの少なくとも1つのさらなる識別子を送信するため、またはネットワークサービスの少なくとも1つの識別子を受信するための外部インタフェース120、特にID管理インタフェース120を備える。
【００８２】
外部インタフェース120、特にID管理インタフェース120は、双方向インタフェースであり、ローカル識別子関連情報を交換するように構成される。この外部インタフェース120は、ネットワークエンティティ100、110間の通信を可能にする。さらに、外部インタフェース120は、任意のサービス層でクロスドメイン操作をサポートするように適合されている。ローカル識別子は、対応する管理対象エンティティ、例えばネットワークスライスインスタンスを示す識別子であり、ネットワークエンティティ100、110によって生成される。
【００８３】
第2のネットワークエンティティ110は、マッピング機能111、識別子を格納するためのデータベース117、およびデータベース117にアクセスするための1つのインタフェース115を含む。
【００８４】
ネットワークサービスの識別子割り当ておよび／または識別子マッピングのためのサービス層上のネットワークエンティティ100、110は、ネットワークサービスの少なくとも1つの識別子を受信し、さらなるネットワークサービスの少なくとも1つのさらなる識別子を生成し、さらなる識別子を少なくとも1つの受信した識別子にマッピングするように構成される。
【００８５】
図2は、本発明の一実施形態によるマッピングの概略図を示している。
【００８６】
この実施形態では、ネットワークサービスの識別子割り当ておよび／または識別子マッピングのための複数のネットワークエンティティ200、210、220、230、240が示されている。
【００８７】
第1のネットワークエンティティ200は、サービスマッパ201を備え、顧客サービス層（CS）上に位置する。第2のネットワークエンティティ210は、ネットワークサービスマッパ211を備え、ネットワークサービス層（NS）に割り当てられ、第3のネットワークエンティティ220は、ネットワークスライスインスタンスマッパ221を備え、ネットワークスライスインスタンス層に割り当てられ、第4のネットワークエンティティ230は、ネットワークサブネットスライスインスタンスマッパ231を備え、ネットワークサブネットスライスインスタンス層に割り当てられ、第5のネットワークエンティティ240は、インフラストラクチャマッパ241を備え、インフラストラクチャリソース層に割り当てられる。
【００８８】
これらのネットワークエンティティ、特にローカルマッピングコンポーネントのエンドツーエンドの相互作用は、顧客からのサービス要求によってトリガされ、次のように実行される：
【００８９】
ステップ1では、第1のネットワークエンティティ200のサービスマッパ201は、関連付けられたサービス識別子でサービスを作成する。サービス識別子（S−ID）は、第1のネットワークエンティティ200によって、特にサービスマッパ201によって生成される。ネットワークエンティティ200は、サービス識別子をデータベース207に格納する。サービスが単一のネットワークサービスで構成され、ネットワークエンティティ200と210との間でトップダウンマッピングが考慮されると仮定すると、サービスマッパ201は、役割のあるネットワークサービスマッパ211（NSマッパ）に接続する。識別子（S−ID）は、インタフェース250、特に識別子管理インタフェースを介してネットワークサービスマッパ211に送信される。ネットワークサービスマッパ211は、実際のサービス識別子を受信し、ローカル識別子、特にローカルネットワークサービス識別子（NS−ID）を生成し、受信した識別子（S−ID）をローカル識別子（NS−ID）にマッピングし、データベース217aにマッピングを格納する。ネットワークエンティティ200と210との間のボトムアップマッピングの場合、ネットワークエンティティ200の管理機能からネットワークエンティティ210の管理機能への要求が開始される。次に、NSマッパ211はローカル識別子（NS−ID）を生成し、ローカル識別子はインタフェース250を介してサービスマッパ201に送信される。識別子（NS−ID）を正常に受信した後、サービスマッパ201は識別子（NS−ID）をそのローカルID（S−ID）にマッピングし、対応するデータベース207に格納する。
【００９０】
ステップ2で、ネットワークサービスマッパ211は、NSマッパ211とNSIマッパ221との間でボトムアップマッピングが考慮される場合、ネットワークサービス識別子と対応するネットワークスライスインスタンス識別子をマッピングするためのデータベースエントリをデータベース217bに作成する。ネットワークサービスマッパ211は、対応するネットワークスライスインスタンスマッパ221からのネットワークスライスインスタンス識別子を要求する。ネットワークエンティティ220のネットワークスライスインスタンスマッパ221は、ローカル識別子（NSI−ID）を生成し、インタフェース251を介してネットワークサービスマッパ211に送信する。識別子（NSI ID）の送信が成功した後、ネットワークサービスマッパ211は、ネットワークエンティティ210のデータベース217b内の識別子をマッピングする。
【００９１】
ステップ3では、ネットワークスライスインスタンスマッパ（NSIマッパ）221とネットワークサブネットスライスインスタンスマッパ（NSSI  マッパ）231との間で同じ手順が行われる。NSSIマッパ231は、ローカルネットワークサブネットスライスインスタンス識別子を生成するか、複数のネットワークサブネットスライスインスタンスの場合、受信したネットワークスライスインスタンス識別子の複数の識別子を生成し、トップダウンマッピングが考慮される場合、ネットワークエンティティ220のデータベース227b（NSMF DB）にマッピングを格納する。そうでない場合、要求されたNSSI−IDは、インタフェース252を介してネットワークスライスインスタンスマッパに送信される。次に、ネットワークスライスインスタンスマッパ（NSI  マッパ）はNSSI−IDをそのローカルNSI−IDにマッピングし、データベース227aに格納する。
【００９２】
ステップ1〜3と同様のステップ4では、インフラストラクチャマッパが、ネットワークサブネットスライスインスタンスの構成要素（仮想もしくは物理NFであり得る1つまたは複数のネットワーク機能（NF）、1つまたは複数の仮想ネットワーク機能リンク（VNL）、あるいは1つまたは複数の仮想サブネットリンク（VSL）など）のためのローカル識別子を生成する。インフラストラクチャマッパ241がネットワークスライスサブネットインスタンスマッパ231からNSSI−IDを受信した場合、インフラストラクチャマッパ241は、対応する値についてローカルデータベース247a、247b、247cに識別子をマッピングして、そのマッピングを格納する。インフラストラクチャマッパ241がネットワークスライスサブネットインスタンスマッパ231からリソースIDの要求を受信した場合、インフラストラクチャマッパ241は、ネットワークサブネットスライスインスタンスの構成要素のローカル識別子をNSSIマッパ231に送信する。ネットワークサブネットスライスインスタンス識別子のその構成要素へのマッピングは、ネットワークエンティティ230のデータベース237bに格納される。
【００９３】
各ネットワークエンティティ200、210、220、230、240は、対応するサービス層の管理機能260、261、262、263、264に接続されている。管理機能260、261、262、263、264は、異なるサービス層上のネットワークエンティティ200、210、220、230、240の相互作用を制御する。ネットワークエンティティ210、220、230は、トップダウンマッピングまたはボトムアップマッピングの場合に、上位および下位のサービス層の管理対象エンティティをマッピングするための2つのデータベースを含む。
【００９４】
さらに、ハイブリッドマッピングが考慮される場合、トップダウンマッピングとボトムアップマッピングの組み合わせが任意のサービス層で発生する。
【００９５】
第1のステップで、NSIマッパ221は、NSマッパ211からネットワークサービス識別子（NS−ID）を受信する。NSIマッパ221は、ローカル識別子、特にローカルネットワークサービス識別子（NS−ID）を生成し、受信した識別子（S−ID）をローカル識別子（NS−ID）にマッピングし、トップダウンマッピングの場合はデータベース227aにマッピングを格納する。
【００９６】
ネットワークエンティティ220と230との間のボトムアップマッピングの場合、ネットワークエンティティ220の管理機能からネットワークエンティティ230の管理機能への要求が開始される。次に、NSIマッパ221は、NSSIマッパ231から少なくとも1つのローカル識別子を受信し、NSIマッパ221は、識別子（NSI−ID）をそのローカルID（NSI−ID）にマッピングし、対応するデータベース227に格納する。
【００９７】
図3は、ユーザ機器390、エンティティ300、および3つのネットワークエンティティ310、320、330を示している。
【００９８】
エンティティ300は、マッピング機能301を含む。マッピング機能301は、S−NSSAIマッパである。さらに、エンティティは、3つのデータベース307a、307b、307cを含む。各データベースは、内部インタフェース305a、305b、305cを介してアクセスできる。エンティティ300は、識別子管理インタフェース305をさらに備える。
【００９９】
この実施形態では、マッピングがユーザ機器390の単一のネットワークスライス選択支援情報（NSSAI）に必要とされる場合、エンティティ300は、さらなるネットワークサービスのさらなる識別子を生成するようにさらに構成され、さらなるネットワークサービスは、サービスインスタンス（NS）またはネットワークスライスインスタンス（NSI）またはネットワークスライスサブネットインスタンス（NSSI）である。
【０１００】
ネットワークサービス層でサービスが公開されている場合、識別子のローカルマッピングは、マッピング機能301、特にS−NSSAIマッパ301とネットワークエンティティ310のネットワークサービスマッパ311との間で行われる。
【０１０１】
サービスがネットワークスライスインスタンス層で公開される場合、マッピング機能301とネットワークエンティティ320のネットワークスライスインスタンスマッパ321との間で識別子のローカルマッピングが行われる。
【０１０２】
サービスがネットワークサブネットスライスインスタンス層で公開される場合、マッピング機能301とネットワークエンティティ330のネットワークサブネットスライスインスタンスマッパ331との間で識別子のローカルマッピングが行われる。
【０１０３】
図4は、本発明の実施形態によるエンドツーエンドサービス識別管理に関する概略図を示している。
【０１０４】
図4は、ネットワークサービス管理機能アーキテクチャ400およびネットワークサービス管理対象エンティティアーキテクチャ405を示している。各アーキテクチャは、階層構造で構成されている。第1層はネットワークサービス層480、第2層はネットワークスライスインスタンス層481、第3層はネットワークスライスサブネット層482、第4層はインフラストラクチャ層483である。
【０１０５】
サービス管理機能アーキテクチャ400では、各層480、481、482、483は、少なくとも1つの管理機能411、412a、412b、413a、413b、424a、414b、415a、415bを含む。例えば、ネットワークスライス管理機能413aは、ネットワークスライスインスタンス層481に配置されている。
【０１０６】
ネットワークサービス管理対象エンティティアーキテクチャ405では、各層480、481、482、483は、管理対象エンティティ422、423a、423b、424a、424b、425a、425bを含む。管理対象エンティティは、ネットワークサービス422、ネットワークスライスインスタンス423a、423b、ネットワークスライスサブネットインスタンス424a、424b、ネットワーク機能（NF）425a、425b、または仮想サブネットリンク（VSL）425a、425b、または仮想ネットワーク機能リンク（VNL）425a、425bである。
【０１０７】
各アーキテクチャ400、405の階層構造は、複数のオペレータ（管理ドメイン）または複数の技術ドメイン全体に分割され得る。
【０１０８】
管理ドメインとは、ETSI GS NFV−MAN 001 V1．1．1に準拠したオペレータなど、単一の組織または管理機関によってそれぞれ運用されるシステムとネットワークの集合を指す。
【０１０９】
さらに、クロスドメイン操作は、ネットワークサービス管理機能アーキテクチャの任意の層、またはネットワークサービス管理対象エンティティアーキテクチャの任意の層で発生し得る。
【０１１０】
さらに、管理ドメイン間のサービスマッピングの場合、これは、第1のオペレータネットワークの管理機能と第2のオペレータネットワークの管理機能との間で行われる。各管理機能は、同じ層480、481、482、483に割り当てられる。
【０１１１】
図5は、本発明の一実施形態によるビジネスロールに関する概略図を示している。
【０１１２】
この実施形態では、図5は、階層構造における異なるビジネスロール、管理機能、および管理対象エンティティを示している。
【０１１３】
第1のサービス層500には、エンドユーザ530、顧客501、サービスプロバイダ502、スライスプロバイダ503、部分スライスプロバイダ504、およびインフラストラクチャプロバイダ505のような異なるビジネスロールが示されている。
【０１１４】
第2のサービス層510には、異なる管理機能511、512、513、514、515が示されている。管理機能は、サービス管理機能（SMF）512、顧客サービス管理機能511、およびネットワークスライス管理機能513、ネットワークスライスサブネット管理機能514、およびインフラストラクチャ管理機能515であり得る。第2のサービス層は、通信システムの管理プレーンに割り当てられる。
【０１１５】
第3のサービス層520には、第2のサービス層のそれぞれの管理機能によって管理される異なる管理対象エンティティ（NS、NSI、NSSI、NF、VSL、VNL）が示されている。第3のサービス層は、通信システムのデータプレーンに割り当てられる。
【０１１６】
顧客501は、他の第三者顧客またはエンドユーザにサービスを提供し、他の第三者顧客またはエンドユーザにサービスをサブスクライブするビジネスまたは会社として理解される必要がある。さらに、この顧客は少なくとも1つのサービスプロバイダにサービスを購入する。例えば、サービスプロバイダはオペレータである。
【０１１７】
少なくとも1つのサービスプロバイダ502は、少なくとも1つのスライスプロバイダ503にスライスを購入する。
【０１１８】
少なくとも1つのスライスプロバイダ503は、スライスまたは部分スライスの一部を少なくとも1つの部分スライスプロバイダ504に購入する。
【０１１９】
部分スライスプロバイダ504は、少なくとも1つのインフラストラクチャプロバイダ505からリソース、特にコンピューティングリソース、ストレージリソース、およびネットワーキングリソースを購入する。
【０１２０】
例えば、インフラストラクチャプロバイダ505は、自分のネットワークの物理コンポーネントを所有するオペレータであってもよいし、インフラストラクチャプロバイダ505は、例えばデータウェアハウスインフラストラクチャプロバイダなど、格納用の特別なコンポーネントを提供するビジネスでもよい。
【０１２１】
また、図5は、例えば自動車会社または自動車産業などの顧客501が、例えばオペレータなどのサービスプロバイダ502からサービスを購入するシナリオを示している。サービスは1つまたは複数のネットワークサービスで構成され、各ネットワークサービスは1つまたは複数のネットワークスライスで構成される。
【０１２２】
自動車産業または会社からサービス要求を受け取った後、オペレータはサービス識別子に関連付けられたサービスを作成する。この実施形態では、サービスは単一のネットワークサービスで構成される。したがって、オペレータはネットワークサービス（NS）を作成および識別する。さらに、ネットワークサービスも1つのネットワークスライスで構成されていると仮定すると、オペレータはネットワークスライスインスタンスを作成し、ネットワークスライスインスタンス識別子を生成する。同じ顧客または別の顧客が同じサービス、ネットワークサービス、またはネットワークスライス要求を購入した場合、オペレータは異なる識別子を生成する。複数のネットワークサービスで構成されるサービスを有することも可能であり、これらのサービスは複数のネットワークスライスインスタンスで構成される。さらに、これらのさまざまなシナリオは、単一のオペレータネットワークまたは複数のネットワークオペレータで可能である。
【０１２３】
図5のさらなる実施形態では、例示的なシナリオは、3GPP TS 22．186 v15．2．0、Enhancement of 3GPP support for V2X（ビークルツービークルまたはビークルツーインフラストラクチャ）シナリオによる隊列走行サービスである。1つのシナリオでは、V2Xアプリケーションをサポートするユーザ機器530（UE）と路側機（RSU）との間の隊列走行のための協調運転や隊列走行のための情報共有など、複数のネットワークサービスが必要である。このネットワークサービスは、サービスプロバイダ502または顧客501によって提供される。ビークルの隊列走行のための協調運転のためのネットワークサービスの第1の部分では、協調運転のために1つまたは複数のネットワークスライス（NSI）が必要になる場合がある。V2Xアプリケーションをサポートするユーザ機器530（UE）とRSUとの間の隊列走行のための情報共有のためのネットワークサービスの第2の部分には、URLCC（Ultra−Reliable and Low Latency Communication）のためのネットワークスライスインスタンス（NSI）が少なくとも必要になる場合があり、これは3GPP TS 23．501 v0．5．0、“System Architecture for the 5G System”で定義されている。
【０１２４】
図6は、本発明の一実施形態による方法の概略フロー図を示している。
【０１２５】
この実施形態では、ハッシュテーブルベースの識別子マッピングが示されている。ハッシュ機構は、本発明によるネットワークエンティティの各データベースで使用可能である。
【０１２６】
ハッシュは、ハッシュキーを使用して対応する値を見つけることにより、データベース内のアイテムのインデックス作成と取得に使用される。例えば、ネットワークスライスインスタンス識別子（NSI−ID）がキーとして使用される図2の第3のネットワークエンティティのデータベースでは、図6に示すように、構成されたネットワークサブネットスライスインスタンスの値を取得できる。ネットワークサブネットスライス識別子をキーとして使用する図2の第4のネットワークエンティティ230のデータベース237b（NSSMF−DB）では、対応するインフラストラクチャ識別子（NF−ID、VNL−ID）を取得することができる。
【０１２７】
ハッシュベースの識別子マッピングを使用して、ネットワークエンティティ、特にローカルマッパでの識別子割り当てと識別子マッピング方法をサポートできる。
【０１２８】
図面および前述の説明において本発明を詳細に例示および説明してきたが、そのような例示および説明は、限定的ではなく例示的であると見なされるべきである。本発明は、開示された実施形態に限定されない。本開示を読むことにより、他の修正が当業者に明らかである。そのような修正は、当技術分野で既に知られており、本明細書で既に説明されている特徴の代わりに、またはそれに加えて使用できる他の特徴を伴い得る。
【０１２９】
本発明は、本明細書のさまざまな実施形態と併せて説明されてきた。しかしながら、開示された実施形態に対する他の変形は、図面、開示および添付の特許請求の範囲の研究から、特許請求された発明を実施する当業者によって理解および実施され得る。請求項において、「含む」という語は他の要素またはステップを除外せず、不定冠詞「a」または「an」は複数を除外しない。単一のプロセッサまたは他のユニットは、特許請求の範囲に記載のいくつかのアイテムの機能を果たし得る。特定の手段が相互に異なる従属請求項に記載されているという単なる事実は、これらの手段の組み合わせを有利に使用できないことを示すものではない。コンピュータプログラムは、他のハードウェアとともに、またはその一部として提供される光学式記憶媒体またはソリッドステート媒体などの適切な媒体に格納／分配され得るが、例えばインターネットやその他の有線または無線の電気通信システムを介して、他の形態で分配されてもよい。
【０１３０】
本発明は、その特定の特徴および実施形態を参照して説明されたが、本発明の趣旨および範囲から逸脱することなく、さまざまな修正および組み合わせを行うことができることは明らかである。したがって、明細書および図面は、添付の特許請求の範囲によって定義される本発明の単なる例示と見なされるべきであり、本発明の範囲内にあるありとあらゆる修正、変形、組み合わせ、または同等物を網羅すると考えられる。
【符号の説明】
【０１３１】
100  ネットワークエンティティ、ローカルマッピングコンポーネント
101  マッピング機能、ローカルマッパ
105  インタフェース
107a  データベース
107b  データベース
110  ネットワークエンティティ
111  マッピング機能
115  インタフェース
117  データベース
120  外部インタフェース、ID管理インタフェース
200  ネットワークエンティティ
201  サービスマッパ
207  データベース
210  ネットワークエンティティ
211  ネットワークサービスマッパ、NSマッパ
217a  データベース
217b  データベース
220  ネットワークエンティティ
221  ネットワークスライスインスタンスマッパ、NSIマッパ
227a  データベース
227b  データベース
230  ネットワークエンティティ
231  ネットワークサブネットスライスインスタンスマッパ、NSSIマッパ
237b  データベース
240  ネットワークエンティティ
241  インフラストラクチャマッパ
247a  ローカルデータベース
247b  ローカルデータベース
247c  ローカルデータベース
260  管理機能
261  管理機能
262  管理機能
263  管理機能
264  管理機能
300  エンティティ
301  マッピング機能、S−NSSAIマッパ
305  識別子管理インタフェース
305a  内部インタフェース
305b  内部インタフェース
305c  内部インタフェース
307a  データベース
307b  データベース
307c  データベース
310  ネットワークエンティティ
311  ネットワークサービスマッパ
320  ネットワークエンティティ
321  ネットワークスライスインスタンスマッパ
330  ネットワークエンティティ
331  ネットワークサブネットスライスインスタンスマッパ
400  ネットワークサービス管理機能アーキテクチャ
405  ネットワークサービス管理対象エンティティアーキテクチャ
411  管理機能
412a  管理機能
412b  管理機能
413a  ネットワークスライス管理機能
413b  管理機能
424a  管理機能
414b  管理機能
415a  管理機能
415b  管理機能
422  ネットワークサービス、管理対象エンティティ
423a  ネットワークスライスインスタンス、管理対象エンティティ
423b  ネットワークスライスインスタンス、管理対象エンティティ
424a  ネットワークスライスサブネットインスタンス、管理対象エンティティ、管理機能
424b  ネットワークスライスサブネットインスタンス、管理対象エンティティ
425a  ネットワーク機能、仮想サブネットリンク、仮想ネットワーク機能リンク、管理対象エンティティ
425b  ネットワーク機能、仮想サブネットリンク、仮想ネットワーク機能リンク、管理対象エンティティ
480  ネットワークサービス層
481  ネットワークスライスインスタンス層
482  ネットワークスライスサブネット層
483  インフラストラクチャ層
500  第1のサービス層
501  顧客
502  サービスプロバイダ
503  スライスプロバイダ
504  部分スライスプロバイダ
505  インフラストラクチャプロバイダ
510  第2のサービス層
511  顧客サービス管理機能
512  サービス管理機能
513  ネットワークスライス管理機能
514  ネットワークスライスサブネット管理機能
515  インフラストラクチャ管理機能
520  第3のサービス層
530  エンドユーザ、ユーザ機器
【図１】
2020521404.tif 000003
【図２】
2020521404.tif 000004
【図３】
2020521404.tif 000005
【図４】
2020521404.tif 000006
【図５】
2020521404.tif 000007
【図６】
2020521404.tif 000008
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
ネットワークサービスの識別子割り当ておよび／または識別子マッピングのためのネットワークエンティティであって、
前記ネットワークエンティティは、
第1のネットワークサービスの第1の識別子を受信し、
第2のネットワークサービスの第2の識別子を生成し、
前記第2の識別子を前記第1の識別子にマッピングする
ように構成される、
ネットワークエンティティ。
【請求項２】
前記ネットワークエンティティが、
識別子割り当ておよび／または識別子マッピングのために前記第2の識別子を第2のネットワークエンティティに送信する
ようにさらに構成される、
請求項1に記載のネットワークエンティティ。
【請求項３】
前記ネットワークエンティティが第1のサービス層に位置し、前記第2のネットワークエンティティが第2のサービス層に位置する、
請求項2に記載のネットワークエンティティ。
【請求項４】
前記第1のサービス層が、前記第2のサービス層と比較して上位のサービス層である、
請求項3に記載のネットワークエンティティ。
【請求項５】
前記第1のサービス層が、前記第2のサービス層と比較して下位のサービス層である、
請求項3に記載のネットワークエンティティ。
【請求項６】
前記ネットワークエンティティが第1のサービス層に位置し、前記第2のネットワークエンティティが第2のサービス層に位置し、
前記第1のサービス層は前記第2のサービス層と同じサービス層である、
請求項2に記載のネットワークエンティティ。
【請求項７】
前記第1の識別子がサービスインスタンスID（S−ID）であり、前記第2の識別子がネットワークサービスインスタンスID（NS−ID）であるか、または
前記第1の識別子がネットワークサービスインスタンスID（NS−ID）であり、前記第2の識別子がネットワークスライスインスタンスID（NSI−ID）であるか、または
前記第1の識別子がネットワークスライスインスタンスID（NSI−ID）であり、前記第2の識別子がネットワークスライスサブネットインスタンスID（NSSI−ID）であるか、または
前記第1の識別子がネットワークスライスサブネットインスタンスID（NSSI−ID）であり、前記第2の識別子がインフラストラクチャリソースインスタンスIDである、
請求項1から6のいずれか一項に記載のネットワークエンティティ。
【請求項８】
前記第1の識別子がインフラストラクチャリソースインスタンスIDであり、前記第2の識別子がネットワークスライスサブネットインスタンスID（NSSI−ID）であるか、または
前記第1の識別子がネットワークスライスサブネットインスタンスID（NSSI−ID）であり、前記第2の識別子がネットワークスライスインスタンスID（NSI−ID）であるか、または
前記第1の識別子がネットワークスライスインスタンスID（NSI−ID）であり、前記第2の識別子がネットワークサービスインスタンスID（NS−ID）であるか、または
前記第1の識別子がネットワークサービスインスタンスID（NS−ID）であり、前記第2の識別子がサービスインスタンスID（S−ID）である、
請求項1から7のいずれか一項に記載のネットワークエンティティ。
【請求項９】
前記第1の識別子への前記第2の識別子の前記マッピングが、ハッシュ機構に基づいている、
請求項1から8のいずれか一項に記載のネットワークエンティティ。
【請求項１０】
前記ネットワークエンティティが、
前記第1の識別子への前記第2の識別子の前記マッピングを格納する
ようにさらに構成される、
請求項1から9のいずれか一項に記載のネットワークエンティティ。
【請求項１１】
前記ネットワークエンティティが、
前記第2の識別子を送信するため、または前記第1の識別子を受信するためのインタフェース
を備える、
請求項1から10のいずれか一項に記載のネットワークエンティティ。
【請求項１２】
前記ネットワークエンティティがネットワーク管理機能に接続され、
前記ネットワーク管理機能は、前記ネットワークエンティティと同じサービス層を管理する役割を果たす、
請求項1から11のいずれか一項に記載のネットワークエンティティ。
【請求項１３】
前記ネットワークエンティティがNSMFまたはNSSMFである、
請求項1から12のいずれか一項に記載のネットワークエンティティ。
【請求項１４】
前記第1のサービス層または前記第2のサービス層が、管理機能アーキテクチャのサービス層、ネットワークスライスインスタンス層、ネットワークスライスサブネットインスタンス層、またはインフラストラクチャ層である、
請求項3から6のいずれか一項に記載のネットワークエンティティ。
【請求項１５】
前記第1のネットワークサービスまたは前記第2のネットワークサービスが、5G通信サービス、ネットワークスライスインスタンス（NSI）、ネットワークスライスサブネットインスタンス（NSSI）、ネットワーク機能、またはインフラストラクチャの少なくとも1つを含む、
請求項1から14のいずれか一項に記載のネットワークエンティティ。
【請求項１６】
マッピングがユーザ機器からの単一のネットワークスライス選択支援情報（NSSAI）に必要とされる場合、
前記ネットワークエンティティが、
さらなるネットワークサービスのさらなる識別子を生成し、
前記さらなる識別子を前記単一のネットワークスライス選択支援情報（NSSAI）にマッピングする
ようにさらに構成され、
前記さらなるネットワークサービスは、サービスインスタンス（NS）またはネットワークスライスインスタンス（NSI）またはネットワークスライスサブネットインスタンス（NSSI）である、
請求項1から15のいずれか一項に記載のネットワークエンティティ。
【請求項１７】
ネットワークサービスの識別子割り当ておよび／または識別子マッピングのためのネットワークエンティティで、
第1のネットワークサービスの第1の識別子を受信するステップと、
第2のネットワークサービスの第2の識別子を生成するステップと、
前記第2の識別子を前記第1の識別子にマッピングするステップと
を含む、方法。
【請求項１８】
前記方法が、
識別子割り当ておよび／または識別子マッピングのために前記第2の識別子を第2のネットワークエンティティに送信するステップ
をさらに含む、請求項17に記載の方法。
【請求項１９】
前記ネットワークエンティティが第1のサービス層に位置し、前記第2のネットワークエンティティが第2のサービス層に位置する、
請求項17または18に記載の方法。
【請求項２０】
前記第1のネットワークサービス層が、前記第2のサービス層と比較して上位のサービス層である、
請求項19に記載の方法。
【請求項２１】
前記第1のサービス層が、前記第2のサービス層と比較して下位のサービス層である、
請求項19に記載の方法。
【請求項２２】
前記第1の識別子がサービスインスタンスID（S−ID）であり、前記第2の識別子がネットワークサービスインスタンスID（NS−ID）であるか、または
前記第1の識別子がネットワークサービスID（NS−ID）であり、前記第2の識別子がネットワークスライスインスタンスID（NSI−ID）であるか、または
前記第1の識別子がネットワークスライスインスタンスID（NSI−ID）であり、前記第2の識別子がネットワークスライスサブネットインスタンスID（NSSI−ID）であるか、または
前記第1の識別子がネットワークスライスサブネットインスタンスID（NSSI−ID）であり、前記第2の識別子がインフラストラクチャリソースインスタンスIDである、
請求項17から21のいずれか一項に記載の方法。
【請求項２３】
前記第1の識別子がインフラストラクチャリソースインスタンスIDであり、前記第2の識別子がネットワークスライスサブネットインスタンスID（NSSI−ID）であるか、または
前記第1の識別子がネットワークスライスサブネットインスタンスID（NSSI−ID）であり、前記第2の識別子がネットワークスライスインスタンスID（NSI−ID）であるか、または
前記第1の識別子がネットワークスライスインスタンスID（NSI−ID）であり、前記第2の識別子がネットワークサービスインスタンスID（NS−ID）であるか、または
前記第1の識別子がネットワークサービスインスタンスID（NS−ID）であり、前記第2の識別子がサービスインスタンスID（S−ID）である、
請求項17から22のいずれか一項に記載の方法。
【請求項２４】
前記第1の識別子への前記第2の識別子の前記マッピングが、ハッシュ機構に基づいている、
請求項17から23のいずれか一項に記載の方法。
【請求項２５】
前記方法が、
前記第1の識別子への前記第2の識別子の前記マッピングを格納するステップ
を含む、
請求項17から24のいずれか一項に記載の方法。
【請求項２６】
前記ネットワークエンティティが、
前記第2の識別子を送信するため、または前記第1の識別子を受信するためのインタフェース
を備える、
請求項17から25のいずれか一項に記載の方法。
【請求項２７】
前記ネットワークエンティティがネットワーク管理機能に接続され、
前記ネットワーク管理機能は、前記ネットワークエンティティと同じサービス層に割り当てられる、
請求項17から26のいずれか一項に記載の方法。
【請求項２８】
前記方法がNSMFまたはNSSMFによって実行される、
請求項17から27のいずれか一項に記載の方法。
【請求項２９】
前記第1のサービス層または前記第2のサービス層が、管理機能アーキテクチャのサービス層、ネットワークスライスインスタンス層、ネットワークスライスサブネットインスタンス層、またはインフラストラクチャ層である、請求項19から22のいずれか一項に記載の方法。
【請求項３０】
前記第1のネットワークサービスまたは前記第2のネットワークサービスが、5G通信サービス、ネットワークスライスインスタンス（NSI）、ネットワークスライスサブネットインスタンス（NSSI）、ネットワーク機能、またはインフラストラクチャの少なくとも1つを含む、請求項17から29のいずれか一項に記載の方法。
【請求項３１】
スライスが複数の技術ドメインにわたって構成される、
前記スライスのエンドツーエンド識別管理のための請求項17から30のいずれか一項に記載の方法。
【請求項３２】
前記複数の技術ドメインが単一のオペレータ内または複数のオペレータにわたって配置されている、
請求項31に記載の方法。
【請求項３３】
請求項17から32のいずれか一項に記載の方法を実行するためのプログラムコードを含むコンピュータ可読媒体。
【国際調査報告】
2020521404.tif 000009
2020521404.tif 000010
2020521404.tif 000011